(57)【要約】【課題】異種材料により分割して構成され、両材料の壁パネル載置部間に段差が生じる床パンにおいて、部品数の少ない単純な納まりで施工性がよく、且つ分割部分からの漏水等の虞がない床パンの分割構造を提供する。【解決手段】入浴者が洗髪洗体を行うことができる洗い場部を構成し浴槽側を除く外周３面に壁パネルが載置される壁パネル載置部が形成された洗い場部と、第１の床パンとは異なる材質により分割構成され上記浴槽の底面及び上記洗い場部側を除く３側面を囲繞しその囲繞する３側面上部に壁パネルが載置される壁受け材が取着された浴槽載置部とを有し、上記洗い場床部及び浴槽載置部が接続される部位に両者を区画する土手部が立設された床パンの分割構造において、上記壁パネル載置部が、土手部を越えて浴槽床パン側へ延出することを特徴とする床パンの分割構造。【選択図】  図５
2006200157.tif 000002
【特許請求の範囲】
【請求項１】
入浴者が洗髪洗体を行うことができる洗い場部を構成し浴槽側を除く外周３面に壁パネルが載置される壁パネル載置部が形成された洗い場部と、第１の床パンとは異なる材質により分割構成され上記浴槽の底面及び上記洗い場部側を除く３側面を囲繞しその囲繞する３側面上部に壁パネルが載置される壁受け材が取着された浴槽載置部とを有し、上記洗い場床部及び浴槽載置部が接続される部位に両者を区画する土手部が立設された床パンの分割構造において、
上記壁パネル載置部が、上記土手部を越えて浴槽床パン側へ延出することを特徴とする床パンの分割構造。
【請求項２】
前記壁パネルは、所定間隔を置いて立設された支柱たるジョイナ間に架設され、前記浴槽載置部の洗い場部に対向する側部と該側部に隣接するジョイナとの間に間隙が設けられ、該間隙はスペーサによって遮蔽されることを特徴とする請求項１記載の床パンの分割構造。
【請求項３】
前記壁パネル載置部は、前記洗い場部の床レベルより低い位置に形成され、その終端を塞ぐ端面が設けられたことを特徴とする請求項１及び２のいずれかに記載の床パンの分割構造。
【発明の詳細な説明】
【技術分野】
【０００１】
本発明は、ユニットバス等の床パン分割構造に係り、特に、異種材料により分割構成され、両材料の壁パネル載置部間に段差が生じる床パンの分割構造に関する。
【背景技術】
【０００２】
フルパン構造と呼ばれるタイプのユニットバスは、床全面に架台を介して敷設された床パン上に浴槽を載置し、壁パネルも床パン外縁上に周設される構造を有するものである。この床パンは、従来、シート状の不飽和ポリエステル樹脂成形材料であるシートモールディングコンパウンド（ＳＭＣ）を用いて圧縮成形法により、或いは繊維強化材を配合した熱硬化性プラスチック（ＦＲＰ）を用いて形成される。
【０００３】
この構造の床パン１００は通常、図７に示すように、壁パネル１０３が載置される壁パネル載置部１０４は、入浴者が洗髪洗体を行う洗い場部１０１の外縁、及び浴槽が載置される浴槽載置部１０２の外縁ともに同一レベルに設定される。これにより、壁パネル１０３の床から天井までの高さが統一されるので壁パネルの製造工程が簡素化され、また壁パネル１０３の分割位置を浴槽載置部１０４上の任意の位置に設定できるので、使用できる壁パネルの汎用性が拡がり且つ施工性も向上する。
【０００４】
また、この壁パネル載置部１０３のレベルは、洗い場部１０１の排水勾配の水上、すなわち、壁パネル載置部１０４近傍の床レベルよりも高い位置に設定され、洗い場部１０１０の床面から壁パネル載置部１０４への立ち上がり部は巾木１０５として露出される。
【０００５】
これにより、床パン１００と壁パネル１０３との接続部から漏水する虞が少なくされるとともに、清掃を行い易いという効果がある。この場合、洗い場部１０１と浴槽載置部１０４とを区画する土手部１０６の高さも、この浴槽載置部１０４と略同一、或いは若干低めに設定される。この土手部１０６は、洗い場部１０１で生じた汚水が浴槽載置部へと流出することを防止するとともに、洗い場部１０１に滞留した水がユニットバス外部に漏水する前に浴槽載置部１０２側へ流出させるためである。
【発明の開示】
【発明が解決しようとする課題】
【０００６】
ところで、この床パンの材料として、特殊な機能、例えば気泡発生装置の騒音を低減する遮音機能や浴槽に溜められた湯の温度低下を遅らせる断熱機能を有する、上記以外の材料、例えば発泡ポリプロピレンや発泡スチロール等を採用したい場合がある。この場合、これらの材料は採用された目的からして、浴槽の周囲を囲う必要があり、そのため床パン外縁から浴槽の浴槽エプロン側を除く三側面では、床パンが浴槽のリム近傍まで延出立設される。
【０００７】
そうすると、壁パネル載置部のレベルも自ずと異なり、洗い場部における壁パネル載置部と浴槽載置部におけるそれとの取り合い部分に段差が生じるので、壁パネルの分割位置も制限される。また、機能性材料と従来の材料とでは、強度も厚さも異なり、このような２種の部材を連結する部分の納まりが問題となる。
【０００８】
他方、ユニットバスにおいても在来工法による浴室のような高級感を出すために、巾木をなくしたいという要求がある。これ自体であれば、壁パネル載置部を床パンの床レベルより下げることにより対応可能であるが、上述した機能性材料を用いた床パンにも適用しようとすると、洗い場部における壁パネル載置部と浴槽載置部におけるそれとの取り合い部分では、さらにその納まりが複雑になりそうである。
【０００９】
本発明は、上述した事情を考慮してなされたもので、異種材料により分割して構成され、両材料の壁パネル載置部間に段差が生じる床パンにおいて、部品数の少ない単純な納まりで施工性がよく、且つ分割部分からの漏水等の虞がない床パンの分割構造を提供することを目的とするものである。
【００１０】
本発明の他の目的は、上述した床パンが、さらに壁パネル載置部が床パンの床レベルよりも低い場合に対応できる床パンの分割構造を提供することにある。
【課題を解決するための手段】
【００１１】
本発明に係る床パンの分割構造は、上述した課題を解決するために、請求項１に記載したように、入浴者が洗髪洗体を行うことができる洗い場部を構成し浴槽側を除く外周３面に壁パネルが載置される壁パネル載置部が形成された洗い場部と、第１の床パンとは異なる材質により分割構成され上記浴槽の底面及び上記洗い場部側を除く３側面を囲繞しその囲繞する３側面上部に壁パネルが載置される壁受け材が取着された浴槽載置部とを有し、上記洗い場床部及び浴槽載置部が接続される部位に両者を区画する土手部が立設された床パンの分割構造において、上記壁パネル載置部が、上記土手部を越えて浴槽床パン側へ延出するものである。
【００１２】
好適には、請求項２に記載したように、前記壁パネルは、所定間隔を置いて立設された支柱たるジョイナ間に架設され、前記浴槽載置部の洗い場部に対向する側部と該側部に隣接するジョイナとの間に間隙が設けられ、該間隙はスペーサによって遮蔽されることが望ましい。
【００１３】
また、前記壁パネル載置部は、好適には、請求項３に記載したように、前記洗い場部の床レベルより低い位置に形成され、その終端を塞ぐ端面が設けられと構成とすることができる。
【発明の効果】
【００１４】
本発明に係る床パンの分割構造によれば、異種材料により分割して構成され、両材料の壁パネル載置部間に段差が生じる床パンにおいて、部品数の少ない単純な納まりで施工性がよく、且つ分割部分からの漏水等の虞がない床パンの分割構造を得られる効果がある。
【００１５】
本発明はさらに、壁パネル載置部が床パンの床レベルよりも低い場合にも対応することができる。
【発明を実施するための最良の形態】
【００１６】
本発明に係る床パンの分割構造の実施の形態について、添付図面を参照して説明する。図１は、本発明に係る床パン分割構造を備えるユニットバス１の床パン２の概要を示す分解斜視図である。本実施形態に示された床パン２は、洗い場部３と浴槽載置部４との別体に形成される。
【００１７】
洗い場部３は、ＦＲＰやＳＭＣで成形され、浴槽載置部４と対向する辺以外の三方の外縁には、壁パネル８Ｄや図示しないドア枠を載置可能な壁パネル載置部３１が設けられる。壁パネル８Ｄは、壁パネル載置部３１上に所定間隔を置いて立設されたジョイナ１１（図６参照。）間に掛け渡されて装着される。
【００１８】
洗い場部３の壁パネル載置部３１の内側部分は同一レベルに形成され、浴槽載置部４と対向する辺の中央に設けられた洗い場排水凹部３２を指向して下り勾配が形成されている。
【００１９】
一方、洗い場部３の浴槽載置部３１に対向する辺には、その全長に亘り、洗い場部３で発生した水が浴槽載置部４側へ流出することを防止するとともに、浴槽エプロン７を支承する土手部が立設される
金属製等の架台５上に設置された浴槽載置部４は、ＥＰＰ、ＥＰＥ等のプラスチック系の材料を発泡成形させた断熱材で形成され、漏水を防止する外、浴槽６内に溜められた湯の熱が浴槽裏面から伝導、放射することを防止する。この浴槽載置部４は、浴槽６の底面に位置する底部４１と、洗い場部３に対向する側を除く三方に、この底部の外縁から延出し浴槽６の上端周囲が外方へ拡開延出するリム６ａの高さ近くまで立設された側部４２とを備える。
【００２０】
この浴槽載置部４の底部４１の洗い場部３に対向する一辺の両端には、配管立ち上げ部４３，４３が設けられ、浴槽６への給水管・給湯管等の挿通孔の機能を果たす。また、底部４１の洗い場部３に対向する一辺の中央には、浴槽６からの排水を集水する浴槽排水部４４が設けられる。この浴槽排水部４４からの汚水は、洗い場排水凹部５からの汚水とともに、図示しない排水トラップへ集められた後、排水管を介して外部へと放出される。
【００２１】
また、側部４２上端及び洗い場部３に対向する端部には、比較的柔らかくて脆い部材で形成される浴槽載置部４端部の欠損、そり、変形等を防止すると同時に、浴槽載置部４の上に壁パネル６を載置可能とする強度と平面を備える壁受け材９が外嵌される。そして、壁パネル８Ａ〜８Ｃは、この壁受け材１１上に所定間隔を置いて立設されたジョイナ１１間に掛け渡されて装着される。据え付けられる。
【００２２】
浴槽６は、保温性を有する材料により成型された内側断熱層１０を介して、浴槽載置部４上に載置される。また、浴槽７の洗い場部３側の側面には、これを掩蔽する浴槽エプロン７が着脱自在に取設される。
【００２３】
上述した各部材が積み立てられた状態のユニットバス１を図２の斜視図に示す。同図に示すように、壁パネル８Ｃと８Ｄとの接続部は、例えば図７に示した従来のユニットバスにおけるものと異なり、浴槽エプロン７の背面側に位置する。したがって、壁パネル８Ｃと８Ｄとの接続部下端は、浴槽６により掩蔽される。
【００２４】
この壁パネル８Ｃと８Ｄとの接続部を、浴槽エプロン７の正面側に設けると、壁パネル８Ｃの浴槽６上面より下に位置する部分（図７における斜線部参照。）の取り扱いが問題となる。
【００２５】
すなわち、この部分にまで壁パネル８Ｃを延出させるには、壁パネル８Ｃを略Ｌ型に成形しなければならず、加工に手間が掛かる。この部分を独立した小パネルで形成すると、上に位置する壁パネル８Ｃとの接続部分に補強や漏水防止の処置が必要となる。
【００２６】
然りとて、元々露出されることが予定されていない浴槽載置部４の側部４２を延出させることは、表面を露出に堪えるよう仕上げることに費用が掛かるという以前に、壁パネル８Ｃと異質な部分が存在することが違和感を与える。したがって、図２に示したように、壁パネル８Ｃと８Ｄとの接続部を、浴槽エプロン７の背面側に位置させることが最も合理的である。
【００２７】
図３に、斯かる配置を可能にする洗い場部３の浴槽載置部４側端辺の詳細を示す。洗い場部３の浴槽載置部４と対向する辺の略全長に亘って、床面から折曲起立して、土手部３３の洗い場側の側面を形成する土手側面３４が立設される。
【００２８】
そして、その上端付近において浴槽載置部４方向へ略水平に延出する接続部３５を備える。この接続部３５は、浴槽載置部４の、接続部３５と対向する位置からやや下方に略水平に延出する顎部４５（図５参照。）上に載置され、ねじ等により両者は固定されて、洗い場部３と浴槽載置部４とが接続される。
【００２９】
一方、洗い場部３の両側端には、壁パネル載置部３１が設けられる。この壁パネル載置部３１は、洗い場部３の外周まわりの床レベルより低い位置に凹設される。この壁パネル載置部３１のさらに外周には、壁パネル８Ｄを背面から支持するとともに、外部への漏水を防止する立ち上がり部３６が立設される。
【００３０】
土手側面３４は、略長方形状の平面を有する洗い場部３の、浴槽載置部４側の一辺を形成するものであるが、壁パネル載置部３１の端部は、この一辺の線上にはなく、土手側面３４を越えて浴槽載置部４側へ延出し、その終端は、土手側面３４と立ち上がり部３６とを接続する端面３７により塞がれる。これにより、洗い場部３より低い壁パネル載置部３１に水が溜まっても、その水が浴槽載置部４側へと流出することが防止される。
【００３１】
図４は、このように形成された洗い場部３が浴槽載置部４と接続された状態を側面から見た様子を示すものである。この図からも、壁パネル載置部３１のレベルが、洗い場部３の床面よりも低いこと、また、壁パネル載置部３１が、浴槽エプロン７や土手部４の土手側面３４よりも浴槽載置部４側へ延出していることが解る。
【００３２】
ここで、端面３７は、浴槽載置部４に設けられた切欠部４６に嵌合しているので、洗い場部３より低い壁パネル載置部３１に水が溜まっても、その水が浴槽載置部４側へと溢れ出ることなく、洗い場３側へと返される。
【００３３】
壁パネル８Ｄは、図５に示すように、壁パネル載置部３１上に所定間隔を置いて立設されたジョイナ１１，１１間（この図では一方のジョイナ１１のみを示す）に掛け渡されて装着される。
【００３４】
ジョイナ１１は、鋼板等をチャンネル状断面に折曲げ、両端部を各々更に内側に深く折曲げて折曲部を形成し、折曲部の傾斜面を傾斜部１１ａ，１１ａとし、向い合う傾斜部１１ａ，１１ａ間を比較的大きな開口としたものである。
【００３５】
壁パネル８Ｄは、化粧金属板（塩化ビニル樹脂被膜鋼板など）等の表面材８１と、表面材７１を裏打ちする石膏ボード等の裏打ち材８２とからなる。表面材８１の左右両端は、背面方向（室外側）へ略Ｊ字形に折り曲げられ、弾性に富む弾性係止部８１ａとされている。
【００３６】
他方、浴槽載置部４の側部４１の洗い場部３側端部は、壁受け材４１により被覆される。ジョイナ１１がこの壁受け材４１に当接して立設されると、ジョイナ１１と壁受け材４１との間に間隙が生じ漏水する虞がある。また、向い合う傾斜部１１ａ，１１ａ間の比較的大きな開口の半分が開いたまま残され、水密性の確保が困難となる。そこで、ジョイナ１１と壁受け材４１との間に一定の距離をおき、その間に、断面が略コ字状のスペーサ１３を挿入し、この間隙を遮蔽する。
【００３７】
傾斜部１１ａ，１１ａ間にはパネルジョイナ１２が取付けられている。パネルジョイナ１２は、変形性と剛性とを兼ね備えた中硬質材であり、且つ、略Ω（オメガ）字状断面の長尺材である。弾性係止部８１ａとスペーサ１３とは、ジョイナ１１の傾斜部１１ａにパネルジョイナ１２を介して弾性係合されている。
【００３８】
これにより、壁パネル８Ｄと壁受け材９との間の間隙は、図６に示すように、少ない部材数で、且つ簡単な構成で水密に遮蔽され、且つ、スペーサ１３等の取り付けも容易に行うことが可能となる。
【００３９】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００４０】
例えば、本実施形態においては、壁パネル載置部が洗い場部の床面よりも低い位置に設けられた場合を例に採って説明したが、本発明はこれに限られず、壁パネル載置部が洗い場部の床面よりも高い位置に設けられた場合においても採用することができる。
【図面の簡単な説明】
【００４１】
【図１】本発明に係る床パンの分割構造を備えるユニットバスの概要を示す分解斜視図。
【図２】本実施形態に係るユニットバス組立後の分解斜視図。
【図３】洗い場部の浴槽載置部側端辺の詳細を示す斜視図。
【図４】洗い場部の浴槽載置部側端辺の詳細を示す側面図。
【図５】洗い場部／浴槽載置部間の壁パネル取り合い詳細を示す横断面図。
【図６】洗い場部／浴槽載置部間の壁パネル取り合い詳細を示す斜視図。
【図７】従来の床パン／壁パネル間の取り合いを示す縦断面図。
【符号の説明】
【００４２】
１  ユニットバス
２  床パン
３  洗い場部
４  浴槽載置部
５  架台 
６  浴槽
７  浴槽エプロン
８Ａ〜８Ｄ  壁パネル
９  壁受け材
１０  内側断熱層
１１  ジョイナ
１１ａ  傾斜部
１２  パネルジョイナ
１３  スペーサ
３１  壁パネル載置部
３２  洗い場排水凹部
３３  土手部
３４  土手側面
３５  接続部
３６  立ち上がり部
３７  端面
４１  底部
４２  側部
４３  配管立ち上げ部
４４  浴槽排水部
４５  顎部
４６  欠切部
８１  表面材
８１ａ  弾性係止部
８２  裏打ち材
【図１】
2006200157.tif 000003
【図２】
2006200157.tif 000004
【図３】
2006200157.tif 000005
【図４】
2006200157.tif 000006
【図５】
2006200157.tif 000007
【図６】
2006200157.tif 000008
【図７】
2006200157.tif 000009